【手続補正書】
【提出日】平成28年5月12日(2016.5.12)
【手続補正１】
【補正対象書類名】特許請求の範囲
【補正対象項目名】全文
【補正方法】変更
【補正の内容】
【特許請求の範囲】
【請求項１】
第１壁と、
前記第１壁に連続し、前記第１壁に対して折り曲げられる第２壁と、
前記第２壁の内側面に沿って配置される第３壁と、
前記第１壁と前記第２壁との間の折曲線上にある分岐点から前記第１壁上を前記第３壁側へ延びる第１傾斜線と、前記分岐点から前記第２壁上を前記第３壁側へ延びる第２傾斜線と、前記第１傾斜線の先端と前記第２傾斜線の先端とにかけて延びる切断部とで区画され、組立状態で前記第１壁および前記第２壁にかけて傾斜して延びる係止受部と、
前記第３壁に形成され、組立状態で前記係止受部の前記切断部側に係止する係止部と
を備えることを特徴とする係止構造。
【請求項２】
第１壁と、
前記第１壁に連続し、前記第１壁に対して折り曲げられる第２壁と、
前記第２壁の内側面に沿って配置される第３壁と
を備えた容器であって、
前記第１壁と前記第２壁との間の折曲線上にある分岐点から前記第１壁上を前記第３壁側へ延び、前記折曲線に対して傾斜する第１傾斜線と、
前記分岐点から前記第２壁上を前記第３壁側へ延び、前記折曲線に対して傾斜する第２傾斜線と、
前記第１傾斜線の先端と前記第２傾斜線の先端とにかけて延びる切断部と、
前記第１傾斜線と前記第２傾斜線と前記切断部との間に形成され、組立状態で前記第１壁および前記第２壁にかけて傾斜して延びる係止受部と、
前記第３壁に形成され、前記第３壁を前記第２壁の内側面に沿うように組み立てることにより前記係止受部の前記切断部側に係止する係止部と
を備えることを特徴とする容器。
【請求項３】
前記係止受部の前記切断部側に隣接し、組立時に前記第３壁の角部が落とし込まれる切抜部を設け、前記切抜部の縁で前記切断部の一部を形成したことを特徴とする請求項２に記載の容器。
【請求項４】
前記第１壁である底壁と、
前記底壁の対向する２辺に連設された前記第２壁である一対の側壁と、
前記底壁の対向する他の２辺に連設された一対の端壁と、
前記端壁に連設され、組立状態の前記側壁と前記端壁とで形成される上端の一部を覆う桟板と、
前記桟板に連設された前記第３壁であるロック片と
を備え、
前記桟板に対して前記ロック片を折り曲げた状態で、前記端壁に対して前記桟板を折り曲げることにより、前記ロック片を前記側壁の内側面に配置し、前記係止部を前記係止受部の前記切断部側に回動させて係止するようにしたことを特徴とする請求項２または請求項３に記載の容器。
【請求項５】
底壁と、前記底壁の対向する２辺に連設された一対の側壁と、前記底壁の対向する他の２辺に連設された一対の端壁と、前記端壁に連設され組立状態で前記側壁と前記端壁とで形成される上端の一部を覆う桟板と、前記桟板に連設され組立状態で前記側壁の内側面に沿って配置することにより係止されるロック片とを備える容器のブランクを組み立てる製函装置であって、
前記底壁の外周部に位置し、前記底壁に対して前記側壁を折り曲げる側壁折曲部と、前記底壁に対して前記端壁を折り曲げる端壁折曲部と、前記桟板に対して前記ロック片を折り曲げるロック片折曲部とを有するガイド枠と、
前記ガイド枠の内外にかけて進退可能に配設され、前記底壁を押圧して前記ブランクを前記ガイド枠内に押し込み、前記各折曲部によって前記側壁、前記端壁および前記ロック片を折り曲げる押込部材と、
前記側壁折曲部側に移動可能に配設され、前記ロック片を内向きに押圧して前記側壁の内面側に位置決めする位置決め部材と、
前記端壁折曲部側に移動可能に配設され、前記端壁に対して前記桟板を折り曲げ、前記ロック片を前記側壁の内側面に回動させて係止させる回動部材とを備え、
前記位置決め部材は、前記側壁の上方において、駆動手段によって、前記側壁から外側に離れた第１の位置と、前記位置決め部材の先端が前記側壁の内面側に位置する第２の位置との間を移動可能であることを特徴とする製函装置。
【請求項６】
前記ガイド枠の底側に移動可能に配設され、前記底壁の底面側を受ける受け部材を更に備えることを特徴とする請求項５に記載の製函装置。
【請求項７】
前記位置決め部材は、前記駆動手段によって前記側壁に対して内外へ直動されることを特徴とする請求項５に記載の製函装置。
【請求項８】
前記位置決め部材は、前記押込部材を前記ガイド枠内に押し込んで前記側壁、前記端壁および前記ロック片を折り曲げると、前記駆動手段によって前記第１の位置から前記第２の位置に移動されることを特徴とする請求項５から請求項７のいずれか１項に記載の製函装置。
【手続補正２】
【補正対象書類名】明細書
【補正対象項目名】００１１
【補正方法】変更
【補正の内容】
【００１１】
また、この容器を自動製函する製函装置は、前記底壁の外周部に位置し、前記底壁に対して前記側壁を折り曲げる側壁折曲部と、前記底壁に対して前記端壁を折り曲げる端壁折曲部と、前記桟板に対して前記ロック片を折り曲げるロック片折曲部とを有するガイド枠と、前記ガイド枠の内外にかけて進退可能に配設され、前記底壁を押圧して前記ブランクを前記ガイド枠内に押し込み、前記各折曲部によって前記側壁、前記端壁および前記ロック片を折り曲げる押込部材と、前記側壁折曲部側に移動可能に配設され、前記ロック片を内向きに押圧して前記側壁の内面側に位置決めする位置決め部材と、前記端壁折曲部側に移動可能に配設され、前記端壁に対して前記桟板を折り曲げ、前記ロック片を前記側壁の内側面に回動させて係止させる回動部材とを備え、前記位置決め部材は、前記側壁の上方において、駆動手段によって、前記側壁から外側に離れた第１の位置と、前記位置決め部材の先端が前記側壁の内面側に位置する第２の位置との間を移動可能である。
【手続補正３】
【補正対象書類名】明細書
【補正対象項目名】００７０
【補正方法】変更
【補正の内容】
【００７０】
給紙部２０２は、円柱状ローラを敷設した搬送台２０３と、シリンダ等の駆動手段によって上下方向に移動可能としたリフト部２０４とを備える。搬送台２０３は、積層配置されたブランクを面一にしたリフト部２０４上に移動可能に積層配置する。リフト部２０４は、搬送部２０５によって取出可能な給紙位置へ、供給されたブランクを移動させる。なお、給紙位置への位置決めは、例えばリミットスイッチ等の検出手段により行われる。
【手続補正４】
【補正対象書類名】明細書
【補正対象項目名】００７２
【補正方法】変更
【補正の内容】
【００７２】
搬送部２０５は、第１ガイドレール２０６，２０６を図２０中一点鎖線で示す外側に移動させた受取状態とした後、吸引部材２０９によって積層された複数のブランクのうち上端の１枚のブランクを吸着し、第１ガイドレール２０６，２０６上に持ち上げる。ついで、第１ガイドレール２０６，２０６を図２０中実線で示す内側に移動させた移送状態とした後、吸引部材２０９による吸着を解除して、第１ガイドレール２０６，２０６上にブランクを配置する。その後、移送部材２１０により第１ガイドレール２０６に沿ってブランクを押し、製函装置２１３へ移動させる。この一連の工程を繰り返して、１枚ずつブランクを製函装置２１３に供給する。
【手続補正５】
【補正対象書類名】明細書
【補正対象項目名】００８４
【補正方法】変更
【補正の内容】
【００８４】
次に、製函装置２１３の動作について具体的に説明する。
【手続補正６】
【補正対象書類名】明細書
【補正対象項目名】００９０
【補正方法】変更
【補正の内容】
【００９０】
図１０に示すように、回動部材２３７の回動により、桟板３８が端壁３４に対して直交方向に延びる位置まで回動されると、位置決め部材２３２によるロック片４４の位置決めは解除される。これにより、ロック片４４は、復元力によって側壁１３に密着した状態になり、先端側の係止凹部４８が、底壁１５と側壁１３との間に浮き上がった係止受部２３に係止する。
【手続補正７】
【補正対象書類名】明細書
【補正対象項目名】００９１
【補正方法】変更
【補正の内容】
【００９１】
このようにしてトレイ１０を自動製函すると、回動部材２３７を長さ方向外側の非動作位置に移動させるとともに、位置決め部材２３２および受け部材２３４を幅方向外側に移動させる。この状態で、押込部材２１５を上向きに移動させ、次のトレイ１０のブランクの製函を開始する。または、次のトレイ１０のブランクが無い状態で、押込部材２１５だけを下向きに移動させる。これにより、先に製函したトレイ１０は、上側に位置する次のトレイ１０の底壁１２または押込部材２１５自体が桟板３８に当接し、下向きに押圧されることにより、排出シュート２４１から製函装置２１３の外側に排出される。
【手続補正８】
【補正対象書類名】図面
【補正対象項目名】図１３
【補正方法】変更
【補正の内容】
【図１３】
2015131677.tif 000001
【手続補正９】
【補正対象書類名】図面
【補正対象項目名】図２０
【補正方法】変更
【補正の内容】
【図２０】
2015131677.tif 000002
【手続補正１０】
【補正対象書類名】図面
【補正対象項目名】図２１
【補正方法】変更
【補正の内容】
【図２１】
2015131677.tif 000003
【手続補正１１】
【補正対象書類名】図面
【補正対象項目名】図２２
【補正方法】変更
【補正の内容】
【図２２】
2015131677.tif 000004
【手続補正１２】
【補正対象書類名】図面
【補正対象項目名】図２３
【補正方法】変更
【補正の内容】
【図２３】
2015131677.tif 000005